(57)【特許請求の範囲】
【請求項１】
原稿に含まれる複数のページを１ページに集約した集約ページを形成する画像形成装置であって、
各ページの属性の情報を記憶する記憶部と、
前記原稿に含まれる各ページに対応するアイコンをページ順に並べたプレビュー画面を表示する表示部と、
前記ページ順に各ページが並べられた状態で、前記属性の異なるページが同一の集約ページに混在することになるか否かを前記属性の情報に基づいて判定する第１の集約判定部と、
前記表示部に表示されたプレビュー画面においてユーザによりなされる前記アイコンの並び順の変更に応じて各ページの並び順を変更するよう指示する変更指示をユーザから受け付ける指示受付部と、
前記指示受付部が前記変更指示を受け付けた場合に、前記属性の情報に基づいて、前記並び順の変更により前記属性の異なるページが同一の集約ページに混在することになるか否かを判定する第２の集約判定部と、
前記第１の集約判定部、および／または、前記第２の集約判定部により前記属性の異なるページが前記同一の集約ページに混在することになると判定された場合に、前記表示部を制御して、該表示部に警告メッセージを表示させる表示制御部と、
を備えることを特徴とする画像形成装置。
【請求項２】
前記指示受付部は、前記集約ページの形成対象である原稿に含まれるページに対応するアイコンを、該原稿の他のページに対応するアイコンの前に挿入して各ページの並び順を変更するよう指示する変更指示をユーザから受け付けることを特徴とする請求項１に記載の画像形成装置。
【請求項３】
前記指示受付部は、前記原稿とは別の原稿に含まれるページに対応するアイコンを、前記原稿に含まれるページの前に挿入して各ページの並び順を変更するよう指示する変更指示をユーザから受け付け、前記指示受付部が該変更指示を受け付けた場合に、前記第２の集約判定部は、前記属性の情報、および、前記別の原稿に含まれるページの属性の情報に基づいて、前記並び順の変更により前記属性の異なるページが同一の集約ページに混在することになるか否かを判定することを特徴とする請求項１または２に記載の画像形成装置。
【請求項４】
前記表示部は、前記原稿の各ページに対応するアイコンをページ順に並べるとともに、前記別の原稿の各ページに対応するアイコンをページ順に並べたプレビュー画面を表示することを特徴とする請求項３に記載の画像形成装置。
【請求項５】
前記指示受付部は、前記原稿に含まれるページを削除して各ページの並び順を変更するよう指示する変更指示をユーザから受け付けることを特徴とする請求項１〜４のいずれか１項に記載の画像形成装置。
【請求項６】
前記第２の集約判定部は、前記並び順が変更されたページを含む集約ページについて、前記属性の異なるページが該集約ページに混在することになるか否かを判定するとともに、該集約ページよりも後ろの別の集約ページについて、前記属性の異なるページが該別の集約ページに混在することになるか否かを判定し、前記表示制御部は、前記第２の集約判定部により、前記集約ページについて、前記属性の異なるページが該集約ページに混在することになると判定された場合に、前記表示部を制御して、該表示部に警告メッセージを表示させるとともに、前記別の集約ページについて、前記属性の異なるページが該別の集約ページに混在することになると判定された場合に、前記表示部を制御して、該表示部に警告メッセージを表示させることを特徴とする請求項１〜５のいずれか１項に記載の画像形成装置。
【請求項７】
前記属性の情報は、各ページの画像がカラー画像であるか、または、モノクロ画像であるかの情報であり、前記表示制御部は、前記第１の集約判定部、および／または、前記第２の集約判定部によりカラー画像のページとモノクロ画像のページとが前記同一の集約ページに混在するようになると判定された場合に、カラーの集約ページが形成されること、または、モノクロの集約ページが形成されることを通知するメッセージを前記警告メッセージとして前記表示部に表示させることを特徴とする請求項１〜６のいずれか１項に記載の画像形成装置。
【請求項８】
前記表示部は、前記プレビュー画面において、前記属性の異なるページを異なる態様で表示することを特徴とする請求項１〜７のいずれか１項に記載の画像形成装置。
【請求項９】
前記表示部は、前記第１の集約判定部、および／または、前記第２の集約判定部が、前記属性の異なるページが同一の集約ページに混在することになると判定した場合に、変更前の並び順、および、変更後の並び順で前記アイコンを並べたプレビュー画面を表示することを特徴とする請求項１〜８のいずれか１項に記載の画像形成装置。
【請求項１０】
前記集約ページを形成するページ形成部をさらに備え、前記指示受付部は、前記変更前の並び順、または、前記変更後の並び順のいずれか一方の選択を受け付け、前記ページ形成部は、選択された並び順で前記集約ページを形成することを特徴とする請求項９に記載の画像形成装置。
【請求項１１】
原稿に含まれる複数のページを１ページに集約した集約ページを形成する画像形成方法であって、
前記原稿に含まれる各ページに対応するアイコンがページ順に並んだプレビュー画面を表示する表示ステップと、
前記ページ順に各ページが並べられた状態で、該属性の異なるページが同一の集約ページに混在することになるか否かを、記憶部に記憶された各ページの属性の情報に基づいて判定する第１の集約判定ステップと、
前記表示ステップにおいて表示されたプレビュー画面においてユーザによりなされる前記アイコンの並び順の変更に応じて各ページの並び順を変更するよう指示する変更指示をユーザから受け付ける指示受付ステップと、
該指示受付ステップにおいて前記変更指示を受け付けた場合に、前記属性の情報に基づいて、前記並び順の変更を行うことにより前記属性の異なるページが同一の集約ページに混在することになるか否かを判定する第２の集約判定ステップと、
前記第１の集約判定ステップ、および／または、前記第２の集約判定ステップにおいて前記属性の異なるページが前記同一の集約ページに混在することになると判定された場合に、警告メッセージを表示する警告メッセージ表示ステップと、
を含むことを特徴とする画像形成方法。
【発明の詳細な説明】
【技術分野】
【０００１】
本発明は、原稿に含まれる複数のページを１ページに集約した集約ページを形成する画像形成装置、および、画像形成方法に関する。
【背景技術】
【０００２】
従来、ＭＦＰ（Multifunction Peripheral）などの画像形成装置には、ＣＹＭＫ（シアン、イエロー、マゼンダ、ブラック）の各トナーを用いてカラーで画像を印刷するカラー印刷機能と、ブラック単色のトナーを用いてモノクロで画像を印刷するモノクロ印刷機能が搭載されている。また、画像形成装置には、複数のページを１ページに集約して印刷する機能が搭載されたものもある。
【０００３】
集約される複数のページにカラー画像のページとモノクロ画像のページとが混在している場合、画像形成装置が、カラー印刷機能により集約ページを印刷すると、モノクロ画像のページについてもカラー印刷が行われることになる。その場合、カラー印刷はモノクロ印刷よりも時間がかかるため、すべての集約ページを印刷するために要する時間が長くなる。
【０００４】
この問題を解決するものとして、特許文献１には、カラー画像のページを集約した集約ページと、モノクロ画像のページを集約した集約ページを生成し、カラー画像のページを集約した集約ページについてはカラー印刷を、モノクロ画像のページを集約した集約ページについてはモノクロ印刷を行う画像形成装置が開示されている。
【０００５】
また、集約されるページにカラー画像のページとモノクロ画像のページとが混在している場合、モノクロ画像のページについてもカラー印刷を行うこととすると、カラー印刷はモノクロ印刷よりも印刷コストが高いので、印刷コストが高くなるという問題もある。
【０００６】
この問題を解決するものとして、特許文献２には、集約される画像データの順番を入れ替えたり、カラー変換を行って、画像データを同種の画像データの組（１色からなる画像データの組、２色からなる画像データの組、あるいは、３色以上からなる画像データの組）に集約する画像形成装置が開示されている。
【０００７】
また、従来の画像形成装置には、集約される複数のページにカラー画像のページとモノクロ画像のページとが混在している場合、集約ページにおけるカラー画像のページ部分についてはカラー印刷を行い、モノクロ画像のページ部分についてはブラック単色で印刷を行うものもある。
【０００８】
しかし、カラー画像のページ部分とモノクロ画像のページ部分に絵柄が含まれている場合、モノクロ画像のページ部分についてブラック単色で印刷を行うと、カラー画像のページ部分とモノクロ画像のページ部分の間で色調が揃わなくなってしまう。
【０００９】
この問題を解決するものとして、特許文献３には、モノクロページに含まれる絵柄について、カラーページの部分の絵柄と同様にＣＭＹＫの各トナーを用いて印刷を行う画像処理装置が開示されている。
【００１０】
また、従来の画像処理装置には、原稿にカラー画像が含まれるか否かを判定するためにプレスキャンを行うものもある。この画像形成装置は、全原稿の読み取りを行い、その結果得られた画像データをメモリに格納する。そして、画像形成装置は、全ての画像データをメモリから読み出して、集約される画像データにカラー画像が含まれているか否かを判定する。
【００１１】
集約される画像データにカラー画像が含まれている場合、画像形成装置は、メモリから全ての画像データを読み出して、カラーの集約画像データを生成し、その集約画像データをメモリに格納する。集約されるページにカラー画像が含まれていない場合、画像形成装置は、メモリから全ての画像データを読み出して、モノクロの集約画像データを生成し、その集約画像データをメモリに格納する。その後、画像形成装置は、メモリから集約画像データを読み出し、その集約画像データを印刷する。
【００１２】
しかし、この画像形成装置では、全ての画像データをメモリに格納しておく必要があるので大きなメモリ容量が必要となり、また、全ての画像データを２度読み出す必要があるので処理速度の低下を招くという問題がある。
【００１３】
この問題を解決するものとして、特許文献４には、プレスキャンを行って全ての画像データを一度に読み取るのではなく、集約画像データを印刷する度に、印刷される画像データを順次読み取る画像形成装置が開示されている。
【先行技術文献】
【特許文献】
【００１４】
【特許文献１】特開２００５−２０４１９号公報
【特許文献２】特開２００９−１０７６９号公報
【特許文献３】特開２００９−２０６６１０号公報
【特許文献４】特開２００４−２２９１２９号公報
【発明の概要】
【発明が解決しようとする課題】
【００１５】
しかしながら、上述した特許文献１〜４の従来技術は、ユーザが集約ページに含まれるページの挿入や削除などの編集をプレビュー画面上で行う際に、ユーザの編集作業を支援するものではなかった。
【００１６】
近年、上記編集処理をプレビュー画面上で行うことが可能な画像形成装置が開発されているが、ユーザがプレビュー画面上で上記編集を行った結果、ユーザが気づかずに、集約ページにカラー画像のページとモノクロ画像のページとが混在するようになる場合も生じ得る。このような場合に、画像形成装置がモノクロ印刷を行うように設定されていると、ユーザが意図しないモノクロ印刷が無駄に実行されることになる。
【００１７】
本発明は、上記実情に鑑み、ユーザが集約ページに含まれるページの挿入や削除などの編集作業を行う際に、ユーザの編集作業を効果的に支援することができる画像形成装置、および、画像形成方法を提供することを目的とする。
【課題を解決するための手段】
【００１８】
上記課題を解決する為に、本発明の第１の技術手段は、原稿に含まれる複数のページを１ページに集約した集約ページを形成する画像形成装置であって、各ページの属性の情報を記憶する記憶部と、前記原稿に含まれる各ページに対応するアイコンをページ順に並べたプレビュー画面を表示する表示部と、前記ページ順に各ページが並べられた状態で、前記属性の異なるページが同一の集約ページに混在することになるか否かを前記属性の情報に基づいて判定する第１の集約判定部と、前記表示部に表示されたプレビュー画面においてユーザによりなされる前記アイコンの並び順の変更に応じて各ページの並び順を変更するよう指示する変更指示をユーザから受け付ける指示受付部と、前記指示受付部が前記変更指示を受け付けた場合に、前記属性の情報に基づいて、前記並び順の変更により前記属性の異なるページが同一の集約ページに混在することになるか否かを判定する第２の集約判定部と、前記第１の集約判定部、および／または、前記第２の集約判定部により前記属性の異なるページが前記同一の集約ページに混在することになると判定された場合に、前記表示部を制御して、該表示部に警告メッセージを表示させる表示制御部と、を備えることを特徴とする。
【００１９】
本発明の第２の技術手段は、第１の技術手段において、前記指示受付部は、前記集約ページの形成対象である原稿に含まれるページに対応するアイコンを、該原稿の他のページに対応するアイコンの前に挿入して各ページの並び順を変更するよう指示する変更指示をユーザから受け付けることを特徴とする。
【００２０】
本発明の第３の技術手段は、第１または第２の技術手段において、前記指示受付部は、前記原稿とは別の原稿に含まれるページに対応するアイコンを、前記原稿に含まれるページの前に挿入して各ページの並び順を変更するよう指示する変更指示をユーザから受け付け、前記指示受付部が該変更指示を受け付けた場合に、前記第２の集約判定部は、前記属性の情報、および、前記別の原稿に含まれるページの属性の情報に基づいて、前記並び順の変更により前記属性の異なるページが同一の集約ページに混在することになるか否かを判定することを特徴とする。
【００２１】
本発明の第４の技術手段は、第３の技術手段において、前記表示部は、前記原稿の各ページに対応するアイコンをページ順に並べるとともに、前記別の原稿の各ページに対応するアイコンをページ順に並べたプレビュー画面を表示することを特徴とする。
【００２２】
本発明の第５の技術手段は、第１〜第４のいずれかの技術手段において、前記指示受付部は、前記原稿に含まれるページを削除して各ページの並び順を変更するよう指示する変更指示をユーザから受け付けることを特徴とする
【００２３】
本発明の第６の技術手段は、第１〜第５のいずれかの技術手段において、前記第２の集約判定部は、前記並び順が変更されたページを含む集約ページについて、前記属性の異なるページが該集約ページに混在することになるか否かを判定するとともに、該集約ページよりも後ろの別の集約ページについて、前記属性の異なるページが該別の集約ページに混在することになるか否かを判定し、前記表示制御部は、前記第２の集約判定部により、前記集約ページについて、前記属性の異なるページが該集約ページに混在することになると判定された場合に、前記表示部を制御して、該表示部に警告メッセージを表示させるとともに、前記別の集約ページについて、前記属性の異なるページが該別の集約ページに混在することになると判定された場合に、前記表示部を制御して、該表示部に警告メッセージを表示させることを特徴とする。
【００２４】
本発明の第７の技術手段は、第１〜第６のいずれかの技術手段において、前記属性の情報は、各ページの画像がカラー画像であるか、または、モノクロ画像であるかの情報であり、前記表示制御部は、前記第１の集約判定部、および／または、前記第２の集約判定部によりカラー画像のページとモノクロ画像のページとが前記同一の集約ページに混在するようになると判定された場合に、カラーの集約ページが形成されること、または、モノクロの集約ページが形成されることを通知するメッセージを前記警告メッセージとして前記表示部に表示させることを特徴とする。
【００２５】
本発明の第８の技術手段は、第１〜第７のいずれかの技術手段において、前記表示部は、前記プレビュー画面において、前記属性の異なるページを異なる態様で表示することを特徴とする。
【００２６】
本発明の第９の技術手段は、第１〜第８のいずれかの技術手段において、前記表示部は、前記第１の集約判定部、および／または、前記第２の集約判定部が、前記属性の異なるページが同一の集約ページに混在することになると判定した場合に、変更前の並び順、および、変更後の並び順で前記アイコンを並べたプレビュー画面を表示することを特徴とする。
【００２７】
本発明の第１０の技術手段は、第９の技術手段において、前記集約ページを形成するページ形成部をさらに備え、前記指示受付部は、前記変更前の並び順、または、前記変更後の並び順のいずれか一方の選択を受け付け、前記ページ形成部は、選択された並び順で前記集約ページを形成することを特徴とする。
【００２８】
本発明の第１１の技術手段は、原稿に含まれる複数のページを１ページに集約した集約ページを形成する画像形成方法であって、前記原稿に含まれる各ページに対応するアイコンがページ順に並んだプレビュー画面を表示する表示ステップと、前記ページ順に各ページが並べられた状態で、該属性の異なるページが同一の集約ページに混在することになるか否かを、記憶部に記憶された各ページの属性の情報に基づいて判定する第１の集約判定ステップと、前記表示ステップにおいて表示されたプレビュー画面においてユーザによりなされる前記アイコンの並び順の変更に応じて各ページの並び順を変更するよう指示する変更指示をユーザから受け付ける指示受付ステップと、該指示受付ステップにおいて前記変更指示を受け付けた場合に、前記属性の情報に基づいて、前記並び順の変更を行うことにより前記属性の異なるページが同一の集約ページに混在することになるか否かを判定する第２の集約判定ステップと、前記第１の集約判定ステップ、および／または、前記第２の集約判定ステップにおいて前記属性の異なるページが前記同一の集約ページに混在することになると判定された場合に、警告メッセージを表示する警告メッセージ表示ステップと、を含むことを特徴とする。
【発明の効果】
【００２９】
本発明によれば、原稿に含まれる各ページに対応するアイコンがページ順に並んだプレビュー画面を表示し、ページ順に各ページが並べられた状態で、属性の異なるページが同一の集約ページに混在することになるか否かを、記憶部に記憶された各ページの属性の情報に基づいて判定し、表示されたプレビュー画面においてユーザによりなされるアイコンの並び順の変更に応じて各ページの並び順を変更するよう指示する変更指示をユーザから受け付けた場合に、上記属性の情報に基づいて、並び順の変更を行うことにより属性の異なるページが同一の集約ページに混在することになるか否かを判定し、属性の異なるページが同一の集約ページに混在することになると判定された場合に、警告メッセージを表示することとしたので、ユーザが集約ページに含まれるページの挿入や削除などの編集作業を行う際に、ユーザの編集作業を効果的に支援することができる。
【図面の簡単な説明】
【００３０】
【図１】本発明の実施形態に係るページ集約処理の一例について説明する図である。
【図２】警告メッセージを表示するプレビュー画面の一例を示す図である。
【図３】ページの挿入を行う場合のページ集約処理の一例について説明する図である。
【図４】警告メッセージを表示するプレビュー画面の別の一例を示す図である。
【図５】ページ挿入前後の集約ページのアイコンを表示するプレビュー画面の一例を示す図である。
【図６】本発明の実施形態に係る画像形成装置の機能構成の一例を示すブロック図である。
【図７】本発明の実施形態に係る画像形成処理の処理手順の一例を示すフローチャートである。
【図８】通常印刷処理の処理手順の一例について説明するフローチャートである。
【図９】集約印刷処理の処理手順の一例について説明するフローチャートである。
【図１０】集約印刷処理の処理手順の一例について説明するフローチャートである。
【図１１】集約印刷処理の処理手順の一例について説明するフローチャートである。
【図１２】別の原稿に含まれるページを挿入する場合のページ集約処理の一例について説明する図である。
【図１３】ページを削除する場合のページ集約処理の一例について説明する図である。
【発明を実施するための形態】
【００３１】
以下、本発明の実施形態について図面を参照して詳細に説明する。まず、本発明の実施形態に係る画像形成処理について説明する。図１は、本発明の実施形態に係るページ集約処理の一例について説明する図である。
【００３２】
図１（Ａ）には、画像形成装置により順に読み取られた原稿画像の各ページ１ａ〜１ｈが示されている。ページに付された「Ｃ」の記号は、そのページがカラー画像であることを示し、「Ｍ」の記号は、そのページがモノクロ画像であることを示す。そして、画像形成装置のタッチパネルには、図１（Ａ）に示す各ページ１ａ〜１ｈに対応するアイコンがページ順にプレビュー画面として表示される。ここで、アイコンとは、原稿画像の各ページ１ａ〜１ｈや各集約ページ２ａ〜２ｄの画像を縮小し、各画像や各集約ページを視認可能に表示したものである。
【００３３】
ここで、画像形成装置とは、ＭＦＰ（Multifunction Peripheral）やプリンタ、コピー機、ファクシミリなどの画像を形成する装置である。以下では、画像形成装置が、ＭＦＰである場合について説明する。
【００３４】
この画像形成装置は、スキャンにより読み取った原稿に含まれる複数のページを１ページに集約して印刷する集約コピー機能（Ｎｉｎ１コピー：Ｎは２以上の自然数）を備えている。この集約コピーでは、読み取った複数のページを１ページに集約した集約ページを生成し、生成した集約ページを印刷する。
【００３５】
図１（Ｂ）には、２ページを１ページに集約した各集約ページ２ａ〜２ｄの例が示されている。なお、以下では、２ｉｎ１コピーを行う場合について説明するが、これに限定されず、本発明は４ｉｎ１コピーなど他の集約コピーにも適用することができる。
【００３６】
この画像形成装置は、原稿をスキャンする際に、原稿に含まれる各ページがカラー画像のページか、モノクロ画像のページかを判定し、その判定結果を各ページの属性情報として登録する。そして、画像形成装置は、カラー原稿のページについてはカラー印刷を行い、モノクロ画像のページについてはモノクロ印刷を行う。
【００３７】
ただし、集約コピーが行われる場合であって、集約ページにカラー画像のページとモノクロ画像のページとが混在する場合は、画像形成装置は、カラー画像のページをモノクロ画像のページに変換してモノクロ画像のページだけが含まれる集約ページ（図１（Ｂ）の集約ページ２ｂ）を生成し、生成した集約ページについてモノクロ印刷を行う。
【００３８】
例えば、図１（Ａ）において、集約対象となるページがいずれもカラー画像のページ（ページ１ａとページ１ｂ、ページ１ｇとページ１ｈ）である場合、画像形成装置は、図１（Ｂ）に示すように、カラー画像の集約ページ（集約ページ２ａ、２ｄ）を生成する。
【００３９】
また、図１（Ａ）において、集約対象となるページがいずれもモノクロ画像のページ（ページ１ｅとページ１ｆ）である場合、画像形成装置は、図１（Ｂ）に示すように、モノクロ画像の集約ページ（集約ページ２ｃ）を生成する。
【００４０】
さらに、図１（Ａ）において、集約対象となるページがカラー画像のページ１ｃとモノクロ画像のページ１ｄとを含んでいる場合、画像形成装置は、図１（Ｂ）に示すように、カラー画像のページ１ｃをモノクロ画像のページに変換してモノクロ画像のページだけが含まれる集約ページ２ｂを生成する。
【００４１】
カラー画像のページがモノクロ画像のページに変換される場合、画像形成装置は、ページ１ｃがモノクロ印刷されることとなる旨の警告メッセージを表示する。図２は、警告メッセージ１１を表示するプレビュー画面１０の一例を示す図である。
【００４２】
このプレビュー画面１０には、ページ表示領域１２や移動ボタン１３ａ〜１３ｄが表示される。そして、ページ表示領域１２には、集約対象となる原稿の各ページを示すアイコン１４ｂ〜１４ｅや各ページが集約された集約ページを示すアイコン１５ａ〜１５ｃ、警告メッセージ１１、許可指示受付領域１１ａ、禁止指示受付領域１１ｂが表示される。
【００４３】
移動ボタン１３ａ〜１３ｄは、アイコン１４ｂ〜１４ｅの表示をスクロールさせるボタンである。ユーザは、移動ボタン１３ａ〜１３ｄをタッチすることにより、ページ表示領域１２に表示されていないアイコンを表示できるようになる。
【００４４】
また、ユーザがアイコン１４ｂ〜１４ｅをドラッグして、ページ表示領域１２の外側にアイコン１４ｂ〜１４ｅを移動させると、その移動に応じてページ表示領域１２がスクロールし、ページ表示領域１２に表示されていないアイコンが表示されるようになる。
【００４５】
ユーザは、このページ表示領域１２において、いずれかのアイコンをドラッグし、そのアイコンを別のアイコンの前に挿入することにより、その別のアイコンに対応するページの前に、ドラッグしたアイコンに対応するページを挿入するよう画像形成装置に指示することができる。
【００４６】
許可指示受付領域１１ａは、アイコン１４ｃにより表される図１（Ａ）に示したページ１ｃがモノクロで印刷されることを許可する旨の指示をユーザから受け付けるタッチ領域であり、禁止指示受付領域１１ｂは、それを許可しない旨の指示をユーザから受け付けるタッチ領域である。
【００４７】
許可指示受付領域１１ａをユーザがタッチし、その後、図１（Ｂ）に示した集約ページ２ａ〜２ｄの印刷指示をユーザから受け付けた場合、画像形成装置は、集約ページ２ａ〜２ｄの印刷を行う。この場合、画像形成装置は、集約ページ２ａ、２ｄについてはカラー印刷を行い、集約ページ２ｂ、２ｃについてはモノクロ印刷を行う。
【００４８】
なお、集約されることによりモノクロ印刷されることになるカラー画像のページ１ｃのアイコン１４ｃは、他のアイコン１４ｂ、１４ｄ、１４ｅとは異なる態様で表示される。例えば、図２に示すように、アイコン１４ｃは、強調枠線１６などで囲んで強調表示される。ここで、アイコン１４ｃの強調表示は点滅表示であってもよく、また、他のアイコンの表示色とは異なる色を用いた表示であってもよい。
【００４９】
一方、ページ１ｃがモノクロ印刷されることをユーザが望まない場合、ユーザは、ページの並び順の変更を画像形成装置に指示することができる。具体的には、ユーザは、禁止指示受付領域１１ｂをタッチし、その後、ページの挿入をタッチパネル上で行うことによりページの並び順を変更することができる。図３は、ページの挿入を行う場合のページ集約処理の一例について説明する図である。
【００５０】
図３（Ａ）には、ページ１ｄの前にページ１ｇを挿入する場合が示されている。この場合、ページ１ｃについては、カラー画像であるページ１ｇと集約されることになるので、図３（Ｂ）に示すように、ページ１ｃはカラー印刷される。しかし、集約ページ２ｄにモノクロ画像のページ１ｆとカラー画像のページ１ｈとが混在するようになり、ページ１ｈがモノクロ印刷されることとなるので、画像形成装置は、ページ１ｈがモノクロ印刷されることとなる旨の警告メッセージを表示する。
【００５１】
図４は、警告メッセージ１１を表示するプレビュー画面１０の別の一例を示す図である。このプレビュー画面１０には、図２に示したプレビュー画面１０と同様に、ページ表示領域１２や移動ボタン１３ａ〜１３ｄが表示される。そして、ページ表示領域１２には、各ページを示すアイコン１４ｆ〜１４ｈや集約ページを示すアイコン１５ｃ、１５ｄ、アイコン１４ｈに対応するページ１ｈがモノクロ印刷されることを示す警告メッセージ１１、許可指示受付領域１１ａ、禁止指示受付領域１１ｂ、比較指示受付領域１１ｃが表示される。
【００５２】
そして、許可指示受付領域１１ａをユーザがタッチし、その後、ユーザから集約ページ２ａ〜２ｄの印刷指示を受け付けた場合、画像形成装置は、集約ページ２ａ〜２ｄの印刷を行う。この場合、画像形成装置は、図３（Ｂ）に示すように、集約ページ２ａ、２ｂについてはカラー印刷を行い、集約ページ２ｃ、２ｄについてはモノクロ印刷を行う。
【００５３】
一方、禁止指示受付領域１１ｂをユーザがタッチした場合、画像形成装置は、ページ１ｇの挿入処理をキャンセルする。そして、ユーザから印刷指示を受け付けた場合、画像形成装置は、ページ１ｇの挿入前のもとの並び順でページが集約された集約ページの印刷を実行する。
【００５４】
なお、ページ１ｇの挿入処理をキャンセルするのではなく、その挿入処理を実行することとし、ページ１ｈを含む集約ページ２ｄについて、カラー印刷を行うようにしてもよい。この場合、モノクロ画像であるページ１ｆの印刷がカラー印刷になるので、画像形成装置が、ページ１ｆがカラー印刷されることとなる旨の警告メッセージを表示することとしてもよい。
【００５５】
また、比較指示受付領域１１ｃをユーザがタッチした場合、画像形成装置は、ページ挿入前のページ順での集約ページと、ページ挿入後のページ順での集約ページの両方をプレビュー画面１０に表示する。
【００５６】
図５は、ページ挿入前後のページのアイコン１４ａ〜１４ｈを表示するプレビュー画面１０の一例を示す図である。図５のページ表示領域１２の上段には、ページ挿入前のページ順で並べられた集約対象となる原稿の各ページを示すアイコン１４ａ〜１４ｆや警告メッセージ１１が表示され、ページ表示領域１２の下段には、ページ挿入後のページ順で並べられた集約対象となる原稿の各ページを示すアイコン１４ｄ〜１４ｈや警告メッセージ１１が表示される。
【００５７】
また、画像形成装置は、プレビュー画面１０にページ順決定ボタン１７を表示し、ページ挿入前のページ順で各ページを印刷するのか、ページ挿入後のページ順で各ページを印刷するのかの選択をユーザから受け付ける。そして、画像形成装置は、選択されたページ順で、集約ページ２ａ〜２ｄの印刷を行う。
【００５８】
すなわち、ユーザが、ページ挿入前のページ順で各ページを印刷することを選択した場合、画像形成装置は、図１（Ｂ）に示す集約ページ２ａ〜２ｄを印刷し、ユーザが、ページ挿入後のページ順で各ページを印刷することを選択した場合、図３（Ｂ）に示す集約ページ２ａ〜２ｄを印刷する。
【００５９】
上述のように、画像形成装置は、集約ページの形成対象である原稿に含まれるページに対応するアイコンを、その原稿の他のページに対応するアイコンの前に挿入して各ページの並び順を変更するよう指示する変更指示をユーザから受け付けるので、ユーザがページの編集を行う際に、ページの印刷処理がモノクロ印刷となることをユーザに通知することができ、ユーザによるページの編集作業を効果的に支援することができる。
【００６０】
また、画像形成装置は、並び順が変更されたページのうち、第１のページを含む集約ページについて、属性（カラー画像、または、モノクロ画像）の異なるページが集約ページに混在することになるか否かを判定するとともに、第１のページよりも後ろの第２のページを含む別の集約ページについて、属性の異なるページがその別の集約ページに混在することになるか否かを判定するので、ページが挿入された集約ページだけでなく、ページの挿入により影響を受ける他のページについても、ユーザに警告を発することができ、ユーザのページの編集作業を効果的に支援することができる。
【００６１】
また、属性の情報は、各ページの画像がカラー画像であるか、または、モノクロ画像であるかの情報であり、画像形成装置は、カラー画像のページとモノクロ画像のページとが同一の集約ページに混在するようになると判定した場合に、カラーの集約ページが形成されること、または、モノクロの集約ページが形成されることを通知するメッセージを警告メッセージとして表示することとしたので、ユーザに適切な警告を発することができ、ユーザのページの編集作業を効果的に支援することができる。
【００６２】
また、画像形成装置は、プレビュー画面において、強調表示を行うなどして、属性の異なるページを異なる態様で表示するので、どのページに対して警告メッセージが表示されているのかをユーザが容易に認識することができる。
【００６３】
また、画像形成装置は、属性の異なるページが同一の集約ページに混在することになると判定した場合に、変更前の並び順、および、変更後の並び順でアイコンを並べたプレビュー画面を表示するので、変更前の並び順、および、変更後の並び順でどのような集約ページが形成されるかをユーザが容易に把握することができる。
【００６４】
また、画像形成装置は、変更前の並び順、または、変更後の並び順のいずれか一方の選択を受け付け、選択された並び順で集約ページを形成するので、ユーザが望む集約ページを容易に形成することができる。
【００６５】
つぎに、本発明の実施形態に係る画像形成装置２０の機能構成について説明する。図６は、本発明の実施形態に係る画像形成装置２０の機能構成の一例を示すブロック図である。この画像形成装置２０は、入力部２１、表示部２２、ネットワークインターフェース部２３、電話回線インターフェース部２４、ページ形成部２５、記憶部２６、制御部２７を備える。
【００６６】
入力部２１は、タッチパッドなどにより構成される入力デバイスである。表示部２２は、液晶パネルなどにより構成される表示デバイスである。入力部２１と表示部２２とは、組み合わされて、タッチパネルを構成する。
【００６７】
ネットワークインターフェース部２３は、ＬＡＮ（Local Area Network）などのネットワークを介して、他の通信装置と通信を行う処理部である。電話回線インターフェース部２４は、電話回線を介して、ＦＡＸ装置などの他の装置と通信を行う処理部である。
【００６８】
ページ形成部２５は、各種の画像形成処理を実行する処理部である。このページ形成部２５は、印刷処理部２５ａ、コピー処理部２５ｂ、スキャン処理部２５ｃ、ＦＡＸ処理部２５ｄを備える。
【００６９】
印刷処理部２５ａは、原稿データの印刷処理を行う処理部である。例えば、印刷処理部２５ａは、集約コピー時に、１ページに集約されるページがすべてカラー画像である場合、カラー画像の集約ページの画像データを生成し、生成した画像データのカラー印刷を行う。また、印刷処理部２５ａは、１ページに集約されるページがすべてモノクロ画像である場合、モノクロ画像の集約ページの画像データを生成し、生成した画像データのモノクロ印刷を行う。
【００７０】
さらに、印刷処理部２５ａは、１ページに集約されるページがカラー画像のページとモノクロ画像のページの両方を含む場合、カラー画像のページをモノクロ画像のページに変換してモノクロ画像のページだけが含まれる集約ページの画像データを生成し、生成した画像データのモノクロ印刷を行う。
【００７１】
スキャン処理部２５ｂは、原稿のスキャン処理を行う処理部である。このスキャン処理部２５ｂは、原稿のスキャン処理を実行した後、スキャン処理により得られた画像データがカラー画像であるのか、モノクロ画像であるのかを判定する処理や、画像データにページ番号を割り当てる処理などを行う。
【００７２】
コピー処理部２５ｃは、原稿データのコピー処理を行う処理部である。コピー処理を行う場合、コピー処理部２５ｃは、スキャン処理部２５ｂに原稿のスキャンを依頼し、その結果得られた画像データの印刷を印刷処理部２５ａに依頼する。ＦＡＸ処理部２５ｄは、ＦＡＸの送受信処理を行う処理部である。
【００７３】
記憶部２６は、メモリやハードディスク装置などの記憶デバイスである。この記憶部２６は、原稿データ２６ａ、ページ属性情報２６ｂ、ジョブ設定情報２６ｃなどのデータを記憶する。
【００７４】
原稿データ２６ａは、スキャン処理部２５ｃが読み取った原稿の画像データや、ＦＡＸ処理部２５ｄが受信したＦＡＸの画像データである。
【００７５】
ページ属性情報２６ｂは、原稿データ２６ａとして画像データが記憶されている各ページの属性情報である。具体的には、ページ属性情報２６ｂには、原稿データ２６ａとして記憶された各ページの画像データがカラー画像であるか、あるいは、モノクロ画像であるかの情報や、各ページのページ番号の情報などが含まれる。
【００７６】
ジョブ設定情報２６ｃは、ユーザが入力部２１を操作して入力したジョブの設定情報である。例えば、ジョブ設定情報２６ｃは、ページの集約を行うか否かの情報、ページの集約を行う場合の１ページに含めるページ数の情報、コピーする原稿とは別の原稿のページを挿入してページの編集を行う場合に、その別の原稿を特定する情報などが含まれる。
【００７７】
制御部２７は、画像形成装置２０の各機能部を制御するＣＰＵ（Central Processing Unit）などの制御デバイスである。この制御部２７は、ジョブ設定受付部２７ａ、指示受付部２７ｂ、原稿編集処理部２７ｃ、第１の集約判定部２７ｄ、第２の集約判定部２７ｅ、表示制御部２７ｆを備える。
【００７８】
ジョブ設定受付部２７ａは、入力部２１を介して、ジョブの設定情報をユーザから受け付ける処理部である。ジョブ設定受付部２７ａは、受け付けた設定情報を記憶部２６にジョブ設定情報２６ｃとして記憶する。
【００７９】
指示受付部２７ｂは、入力部２１を介して、印刷する原稿の編集指示をユーザから受け付ける処理部である。例えば、指示受付部２７ｂは、ページの挿入などによるページの並び順の変更指示をユーザから受け付ける。原稿編集処理部２７ｃは、指示受付部２７ｂが受け付けた編集指示に従い、印刷する原稿の編集処理を行う処理部である。
【００８０】
第１の集約判定部２７ｄは、印刷される原稿に含まれる各ページのもとのページ順で集約ページが印刷される場合に、カラー画像のページとモノクロ画像のページとが同一の集約ページに混在するようになるか否かを判定する処理部である。
【００８１】
第２の集約判定部２７ｅは、指示受付部２７ｂが、ページの並び順の変更指示をユーザから受け付け、変更後のページ順で集約ページが印刷される場合に、その並び順の変更によりカラー画像のページとモノクロ画像のページとが同一の集約ページに混在するようになるか否かを判定する処理部である。
【００８２】
表示制御部２７ｆは、表示部２２における情報の表示制御を行う処理部である。例えば、表示制御部２７ｆは、第１の集約判定部２７ｄまたは第２の集約判定部２７ｅによりカラー画像のページとモノクロ画像のページとが同一の集約ページに混在するようになると判定された場合に、表示部２２を制御して、図２、４、５に示したような警告メッセージ１１を表示部２２に表示させる。
【００８３】
また、表示制御部２７ｆは、表示部２２を制御して、ページ挿入前のページ順で各ページを印刷するのか、ページ挿入後のページ順で各ページを印刷するのかの選択をユーザから受け付ける図５に示したようなプレビュー画面１０を表示部２２に表示させる。
【００８４】
つぎに、本発明の実施形態に係る画像形成処理の処理手順について説明する。図７は、本発明の実施形態に係る画像形成処理の処理手順の一例を示すフローチャートである。
【００８５】
まず、画像形成装置２０のジョブ設定受付部２７ａは、入力部２１を介して、ユーザからジョブの設定情報の入力を受け付ける（ステップＳ１０１）。ジョブの設定情報とは、ページの集約を行うか否かの情報、ページの集約を行う場合の１ページに含めるページ数の情報などである。
【００８６】
そして、表示制御部２７ｆは、記憶部２６から原稿データ２６ａを読み出す（ステップＳ１０２）。その後、第１の集約判定部２７ｄは、ステップＳ１０１で入力を受け付けたジョブの設定情報を参照し、その設定情報にページの集約を行うように設定されているか否かを判定する（ステップＳ１０３）。
【００８７】
設定情報にページの集約を行うように設定されていない場合（ステップＳ１０３においてＮＯの場合）、表示制御部２７ｆ、および、印刷処理部２５ａは、ページの集約を伴わない通常印刷処理を実行する（ステップＳ１０４）。この通常印刷処理については、後に図８を用いて詳しく説明する。
【００８８】
設定情報にページの集約を行うように設定されている場合（ステップＳ１０３においてＹＥＳの場合）、第１の集約判定部２７ｄ、第２の集約判定部２７ｅ、表示制御部２７ｆ、および、印刷処理部２５ａは、ページの集約を伴う集約印刷処理を実行する（ステップＳ１０５）。この集約印刷処理については、後に図９〜図１１を用いて詳しく説明する。
【００８９】
ステップＳ１０４の通常印刷処理、または、ステップＳ１０５の集約印刷処理の後、この画像形成処理は終了する。
【００９０】
つぎに、図７のステップＳ１０４に示した通常印刷処理について説明する。図８は、通常印刷処理の処理手順の一例について説明するフローチャートである。
【００９１】
まず、画像形成装置２０の表示制御部２７ｆは、記憶部２６に記憶された原稿データ２６ａに基づいて、印刷される原稿の各ページをページ順に並べて表示するプレビュー画面の画像データを生成し、表示部２２を制御して、生成したプレビュー画面を表示部２２に表示させる（ステップＳ２０１）。
【００９２】
そして、指示受付部２７ｂは、入力部２１を介してユーザからページの並び順の変更指示を所定時間内に受け付けたか否かを判定する（ステップＳ２０２）。ユーザからページの並び順の変更指示を所定時間内に受け付けた場合（ステップＳ２０２においてＹＥＳの場合）、原稿編集処理部２７ｃは、その変更指示に従い、ページの並び順を変更する（ステップＳ２０３）。
【００９３】
ステップＳ２０３の処理の後、または、ステップＳ２０２においてユーザからページの並び順の変更指示を所定時間内に受け付けなかった場合（ステップＳ２０２においてＮＯの場合）、指示受付部２７ｂは、入力部２１を介してユーザから印刷指示を所定時間内に受け付けたか否かを判定する（ステップＳ２０４）。
【００９４】
ユーザから印刷指示を所定時間内に受け付けた場合（ステップＳ２０４においてＹＥＳの場合）、印刷処理部２５ａは、ページの集約処理を伴わない通常印刷を行い（ステップＳ２０５）、この通常印刷処理は終了する。
【００９５】
ユーザから印刷処理を所定時間内に受け付けなかった場合（ステップＳ２０４においてＮＯの場合）、ジョブ設定受付部２７ａは、図７のステップＳ１０１で受け付けたジョブの設定をキャンセルし（ステップＳ２０６）、この通常印刷処理は終了する。
【００９６】
つぎに、図７のステップＳ１０５に示した集約印刷処理について説明する。図９〜１１は、集約印刷処理の処理手順の一例について説明するフローチャートである。
【００９７】
まず、画像形成装置２０の表示制御部２７ｆは、記憶部２６に記憶された原稿データ２６ａに基づいて、印刷される原稿の各ページをページ順に並べて表示するプレビュー画面の画像データを生成し、表示部２２を制御して、生成したプレビュー画面を表示部２２に表示させる（ステップＳ３０１）。
【００９８】
そして、第１の集約判定部２７ｄは、集約ページに含まれる各ページの属性情報を記憶部２６のページ属性情報２６ｂから読み出す（ステップＳ３０２）。具体的には、第１の集約判定部２７ｄは、上記集約ページに含まれる各ページの画像がカラー画像であるか、モノクロ画像であるかの情報を読み出す。
【００９９】
その後、第１の集約判定部２７ｄは、原稿の各ページをページ順に並べて生成される集約ページに、カラー画像のページとモノクロ画像のページとが混在するか否かを判定する（ステップＳ３０３）。
【０１００】
そして、集約ページにカラー画像のページとモノクロ画像のページとが混在する場合（ステップＳ３０３においてＹＥＳの場合）、表示制御部２７ｆは、表示部２２を制御して、図２に示したプレビュー画面１０のように、その集約ページの印刷処理がモノクロ印刷となることを警告する警告メッセージ１１を表示部２２に表示させる（ステップＳ３０４）。
【０１０１】
続いて、指示受付部２７ｂは、上記集約ページの印刷処理がモノクロ印刷となることを許可する入力をユーザから所定時間内に受け付けたか否かを判定する（ステップＳ３０５）。具体的には、指示受付部２７ｂは、図２に示した許可指示受付領域１１ａがユーザにより所定時間内にタッチされたか否かを判定する。
【０１０２】
許可指示受付領域１１ａがユーザにより所定時間内にタッチされた場合（ステップＳ３０５においてＹＥＳの場合）、または、上記集約ページにカラー画像のページとモノクロ画像のページとが混在しない場合（ステップＳ３０３においてＮＯの場合）、第１の集約判定部２７ｄは、すべての集約ページについて、ステップＳ３０３の混在判定処理が完了したか否かを判定する（ステップＳ３０６）。
【０１０３】
すべての集約ページについて混在判定処理が完了していない場合（ステップＳ３０６においてＮＯの場合）、ステップＳ３０２に移行して、第１の集約判定部２７ｄは、混在判定処理が完了していない集約ページに含まれる各ページの属性情報を記憶部２６のページ属性情報２６ｂから読み出し（ステップＳ３０２）、その後の処理を継続する。
【０１０４】
すべての集約ページについて混在判定処理が完了した場合（ステップＳ３０６においてＹＥＳの場合）、印刷処理部２５ａは、入力部２１を介してユーザから印刷指示を所定時間内に受け付けたか否かを判定する（ステップＳ３０７）。
【０１０５】
印刷指示をユーザから所定時間内に受け付けた場合（ステップＳ３０７においてＹＥＳの場合）、印刷処理部２５ａは、集約ページを生成し、さらに生成した集約ページに対する印刷処理を実行して（ステップＳ３０８）、この集約印刷処理は終了する。
【０１０６】
ステップＳ３０７において、ユーザから印刷指示を所定時間内に受け付けていない場合（ステップＳ３０７においてＮＯの場合）、ジョブ設定受付部２７ａは、図７のステップＳ１０１で受け付けたジョブの設定をキャンセルし（ステップＳ３０９）、この集約印刷処理は終了する。
【０１０７】
ステップＳ３０５において、集約ページの印刷処理がモノクロ印刷となることを許可する入力をユーザから所定時間内に受け付けなかった場合（ステップＳ３０５においてＮＯの場合）、指示受付部２７ｂは、図１０に示すように、入力部２１を介してページの並び順の変更指示を所定時間内にユーザから受け付けたか否かを判定する（ステップＳ３１０）。
【０１０８】
ページの並び順の変更指示を所定時間内にユーザから受け付けた場合（ステップＳ３１０においてＹＥＳの場合）、第２の集約判定部２７ｅは、その変更指示に従ってページの並び順を変更することにより集約ページにおいて組み合わせが変更となるページの属性情報を記憶部２６のページ属性情報２６ｂから読み出す（ステップＳ３１１）。
【０１０９】
具体的には、第２の集約判定部２７ｅは、集約ページにおいて組み合わせが変更となるページの画像がカラー画像であるか、モノクロ画像であるかの情報を読み出す。図３の例では、ページ１ｇがページ１ｃとページ１ｄの間に挿入されることにより、集約ページ２ｂ、２ｃ、２ｄにおいて、集約ページに含まれるページの組み合わせが変更されるので、例えば、集約ページ２ｂに含まれるページ１ｃとページ１ｇの画像がカラー画像であるか、モノクロ画像であるかの情報を読み出す。
【０１１０】
その後、第２の集約判定部２７ｅは、ページの組み合わせが変更となる集約ページにカラー画像のページとモノクロ画像のページとが混在しているか否かを判定する（ステップＳ３１２）。
【０１１１】
上記集約ページにカラー画像のページとモノクロ画像のページとが混在している場合（ステップＳ３１２においてＹＥＳの場合）、表示制御部２７ｆは、表示部２２を制御して、図４に示したプレビュー画面１０のように、その集約ページの印刷処理がモノクロ印刷となることを警告する警告メッセージ１１を表示部２２に表示させる（ステップＳ３１３）。
【０１１２】
その後、指示受付部２７ｂは、上記集約ページの印刷処理がモノクロ印刷となることを許可する入力をユーザから所定時間内に受け付けたか否かを判定する（ステップＳ３１４）。具体的には、指示受付部１７ｂは、図４に示した許可指示受付領域１１ａがユーザにより所定時間内にタッチされたか否かを判定する。
【０１１３】
許可指示受付領域１１ａがユーザにより所定時間内にタッチされた場合（ステップＳ３１４においてＹＥＳの場合）、または、上記集約ページにカラー画像のページとモノクロ画像のページとが混在しない場合（ステップＳ３１２においてＮＯの場合）、第２の集約判定部２７ｅは、ページの組み合わせが変更となるすべての集約ページについて、ステップＳ３１２の混在判定処理が完了したか否かを判定する（ステップＳ３１５）。
【０１１４】
ページの組み合わせが変更となるすべての集約ページについて混在判定処理が完了していない場合（ステップＳ３１５においてＮＯの場合）、ステップＳ３１１に移行して、第２の集約判定部２７ｅは、混在判定処理が完了していない集約ページに含まれる各ページの属性情報を記憶部２６のページ属性情報２６ｂから読み出し（ステップＳ３１１）、その後の処理を継続する。
【０１１５】
ページの組み合わせが変更となるすべての集約ページについて混在判定処理が完了した場合（ステップＳ３１５においてＹＥＳの場合）、原稿編集処理部２７ｃは、ステップＳ３１０において受け付けたページの並び順の変更指示に従い、ページの並び順を変更する（ステップＳ３１６）。そして、図９のステップＳ３０７に移行し、それ以降の処理が継続される。
【０１１６】
ステップＳ３１０において、ページの並び順の変更指示を所定時間内に受け付けなかった場合（ステップＳ３１０においてＮＯの場合）、ページの並び順を変更することなく、図９のステップＳ３０７に移行し、それ以降の処理が継続される。
【０１１７】
ステップＳ３１４において、上記集約ページの印刷処理がモノクロ印刷となることを許可する入力をユーザから所定時間内に受け付けなかった場合（ステップＳ３１４においてＮＯの場合）、指示受付部２７ｂは、図１１に示すように、変更前後のページの並び順を比較する比較指示を所定時間内に受け付けたか否かを判定する（ステップＳ３１７）。具体的には、指示受付部２７ｂは、図４に示した比較指示受付領域１１ｃがユーザにより所定時間内にタッチされたか否かを判定する。
【０１１８】
比較指示受付領域１１ｃがユーザにより所定時間内にタッチされた場合（ステップＳ３１７においてＹＥＳの場合）、表示制御部２７ｆは、記憶部２６に記憶された原稿データ２６ａに基づいて、図５に示したような、ページの並び順の変更前後の各ページの状態を並べて表示するプレビュー画面１０の画像データを生成し、表示部２２を制御して、生成したプレビュー画面１０を表示部２２に表示させる（ステップＳ３１８）。
【０１１９】
そして、指示受付部２７ｂは、入力部２１を介してユーザから変更前後のページの並び順のうちいずれかの選択を受け付け、さらに変更前のページの並び順が選択されたか否かを判定する（ステップＳ３１９）。具体的には、指示受付部２７ｂは、図５に示した２つのページ順決定ボタン１７のうち、変更前のページの並び順で各ページが表示されている方に表示されているページ順決定ボタン１７がユーザにより所定時間内にタッチされたか否かを判定する。
【０１２０】
変更前のページの並び順が選択された場合（ステップＳ３１９においてＹＥＳの場合）、ページの並び順を変更することなく、図９のステップＳ３０７に移行して、それ以後の処理が継続される。
【０１２１】
変更後のページの並び順で各ページが表示されている方に表示されているページ順決定ボタン１７がユーザにより所定時間内にタッチされることにより、変更後のページの並び順が選択された場合（ステップＳ３１９においてＮＯの場合）、原稿編集処理部２７ｃは、図１０のステップＳ３１０において受け付けたページの並び順の変更指示に従い、ページの並び順を変更する（ステップＳ３２０）。そして、図９のステップＳ３０７に移行し、それ以降の処理が継続される。
【０１２２】
ステップＳ３１７において、変更前後のページの並び順を比較する比較指示を所定時間内に受け付けなかった場合（ステップＳ３１７においてＮＯの場合）、原稿編集処理部２７ｃは、図１０のステップＳ３１０において受け付けたページの並び順の変更指示を破棄し、ページの並び順の変更は行わない（ステップＳ３２１）。そして、図９のステップＳ３０７に移行し、それ以降の処理が継続される。
【０１２３】
さて、これまで画像形成装置および画像形成方法の実施形態を中心に説明を行ったが、本発明はこれらの実施形態に限定されるものではなく、画像形成装置の機能を実現するためのコンピュータプログラムとしての形態、あるいは、当該コンピュータプログラムが記録されたコンピュータ読み取り可能な記録媒体の形態として本発明が実施されることとしてもよい。
【０１２４】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【０１２５】
これら記録媒体に上記実施形態における画像形成装置の機能を実現させるコンピュータプログラム、または、画像形成方法をコンピュータに実行させるコンピュータプログラムを記録して流通させることにより、コストの低廉化、及び可搬性や汎用性を向上させることができる。
【０１２６】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る画像形成装置の機能を実現し、画像形成方法を実行することができる。
【０１２７】
また、本発明は上述した実施形態に限定されず、本発明の要旨を逸脱しない範囲内で各種の変形、修正が可能である。
【０１２８】
例えば、上記実施形態におけるページの並び順の変更は、図３に示したように、同一原稿内でのページの移動によるものであったが、これに限定されるものではない。例えば、別の原稿に含まれるページを挿入することによりページの並び順が変更される場合にも、本発明は適用され得る。
【０１２９】
図１２は、別の原稿に含まれるページを挿入する場合のページ集約処理の一例について説明する図である。図１２（Ａ）には、ページ１ｃとページ１ｄの間に、ページ１ａ〜１ｈを含む原稿とは別の原稿から読み取られたページ３を挿入する場合が示されている。
【０１３０】
この場合、表示制御部２７ｆは、表示部２２を制御して、原稿の各ページ１ａ〜１ｈに対応するアイコンをページ順に並べるとともに、別の原稿の各ページに対応するアイコンをページ順に並べたプレビュー画面を表示部２２に表示させる。
【０１３１】
そして、ユーザが、別の原稿の各ページに対応するアイコンのうち、ページ３に対応するアイコンをドラッグし、そのアイコンをページ１ｃに対応するアイコンとページ１ｄに対応するアイコンとの間に挿入することにより、ページ３をページ１ｃとページ１ｄとの間に挿入するよう画像形成装置に指示することができる。
【０１３２】
このページ集約処理では、第１の集約判定部２７ｄが、まず、原稿に含まれる各ページをそのページ順に並べて集約する場合にカラー画像のページとモノクロ画像のページとが同一の集約ページに混在することになるか否かを判定する。そして、カラー画像のページとモノクロ画像のページとが同一の集約ページに混在することになる場合、表示制御部２７ｆは、表示部２２を制御して、図２で説明した場合と同様に、カラー画像のページとモノクロ画像のページとが混在する集約ページがモノクロ印刷されることとなる旨の警告メッセージを表示部２２に表示させる。
【０１３３】
図１２（Ａ）の例では、原稿に含まれる各ページ１ａ〜１ｈをそのページ順に並べた場合、ページ１ｃとページ１ｄとが同一の集約ページに混在するようになるので、表示制御部２７ｆは、図２に示した警告メッセージ１１と同様の警告メッセージを表示部２２に表示させる。
【０１３４】
そして、図２に示したような許可指示受付領域１１ａがユーザによりタッチされ、その後、ユーザから集約ページの印刷指示を受け付けた場合、印刷処理部２５ａは、図１２（Ａ）に示したページ１ａとページ１ｂ、ページ１ｃとページ１ｄ、ページ１ｅとページ１ｆ、ページ１ｇとページ１ｈがそれぞれ集約された集約ページの印刷を行う。
【０１３５】
この場合、印刷処理部２５ａは、ページ１ａとページ１ｂが集約された集約ページ、および、ページ１ｇとページ１ｈが集約された集約ページについてはカラー印刷を行い、ページ１ｃとページ１ｄが集約された集約ページ、および、ページ１ｅとページ１ｆが集約された集約ページについてはモノクロ印刷を行う。
【０１３６】
一方、図２に示したような禁止指示受付領域１１ｂがユーザによりタッチされ、その後、別の原稿に含まれるページ（図１２の例におけるページ３）の挿入によりページの並び順が変更された場合、第２の集約判定部２７ｅは、その変更後のページの並び順で集約された同一の集約ページに、カラー画像のページとモノクロ画像のページとが混在することとなるか否かを判定する。
【０１３７】
そして、カラー画像のページとモノクロ画像のページとが同一の集約ページに混在することとなる場合、表示制御部２７ｆは、表示部２２を制御して、図４で説明した場合と同様に、カラー画像のページとモノクロ画像のページとが混在する集約ページがモノクロ印刷されることとなる旨の警告メッセージを表示部２２に表示させる。
【０１３８】
図１２（Ｂ）の例では、ページ３の挿入によりページの並び順を変更する結果、モノクロ画像のページ１ｆとカラー画像のページ１ｇとが同一の集約ページ２ｄに混在するようになるので、表示制御部２７ｆは、図４に示した警告メッセージ１１と同様の警告メッセージを表示部２２に表示させる。
【０１３９】
そして、図４に示したような許可指示受付領域１１ａがユーザによりタッチされ、その後、ユーザから集約ページの印刷指示を受け付けた場合、印刷処理部２５ａは、図１２（Ｂ）に示したページ１ａとページ１ｂ、ページ１ｃとページ３、ページ１ｄとページ１ｅ、ページ１ｆとページ１ｇがそれぞれ集約された集約ページ２ａ〜２ｄの印刷を行う。加えて、印刷処理部２５ａは、ページ１ｈだけを含む集約ページ２ｅの印刷を行う。この場合、印刷処理部２５ａは、集約ページ２ａ、２ｂ、２ｅについてはカラー印刷を行い、集約ページ２ｃ、２ｄについてはモノクロ印刷を行う。
【０１４０】
一方、図４に示したような禁止指示受付領域１１ｂがユーザによりタッチされた場合、印刷処理部２５ａは、ページ３の挿入処理の実行をキャンセルする。そして、ユーザから印刷指示を受け付けた場合、印刷処理部２５ａは、図１２（Ａ）に示したような、ページ３の挿入をしない場合の並び順でページが集約された集約ページの印刷を実行する。
【０１４１】
なお、ページ３の挿入処理の実行をキャンセルするのではなく、その挿入処理を実行することとし、モノクロ印刷されることになるカラー画像のページ１ｇを含む集約ページ２ｄについて、カラー印刷を行うようにしてもよい。この場合、モノクロ画像であるページ１ｆの印刷がカラー印刷になるので、画像形成装置が、ページ１ｆがカラー印刷されることとなる旨の警告メッセージを表示することとしてもよい。
【０１４２】
また、図４に示したような比較指示受付領域１１ｃがユーザによりタッチされた場合、図５で説明した場合と同様に、表示制御部２７ｆは、表示部２２を制御して、ページ３の挿入前のページ順での集約ページと、ページ３の挿入後のページ順での集約ページの両方のプレビュー画面１０を表示部２２に表示させる。
【０１４３】
そして、図５を用いて説明した場合と同様に、指示受付部２７ｂは、ページ順決定ボタン１７のユーザによるタッチを検出することにより、ページ挿入前のページ順で各集約ページを印刷するのか、ページ挿入後のページ順で各集約ページを印刷するのかの選択をユーザから受け付ける。そして、印刷処理部２５ａは、選択されたページ順で、集約ページの印刷を行う。
【０１４４】
上述のように、指示受付部２７ｂが、印刷対象である原稿とは別の原稿に含まれるページに対応するアイコンを、上記原稿に含まれるページの前に挿入して各ページの並び順を変更するよう指示する変更指示をユーザから受け付けた場合に、第２の集約判定部２７ｅが、上記原稿に含まれるページの属性の情報、および、上記別の原稿に含まれるページの属性の情報に基づいて、並び順の変更により属性の異なるページが同一の集約ページに混在することになるか否かを判定することとしたので、印刷対象である原稿とは別の原稿に含まれるページを挿入して各ページの並び順を変更する場合でも、ユーザにモノクロの集約ページが印刷されることを通知することができ、ユーザのページの編集作業を効果的に支援することができる。
【０１４５】
また、表示部２２が、上記原稿の各ページに対応するアイコンをページ順に並べるとともに、上記別の原稿の各ページに対応するアイコンをページ順に並べたプレビュー画面を表示することとしたので、ユーザのページの編集作業を容易にすることができる。
【０１４６】
また、ページの並び順の変更は、ページを削除することによるものであってもよい。図１３は、ページを削除する場合のページ集約処理の一例について説明する図である。図１３（Ａ）には、ページ１ｃを削除する場合が示されている。
【０１４７】
このページ集約処理では、第１の集約判定部２７ｄが、まず、原稿に含まれる各ページをそのページ順に並べて集約する場合にカラー画像のページとモノクロ画像のページとが同一の集約ページに混在することになるか否かを判定する。そして、カラー画像のページとモノクロ画像のページとが同一の集約ページに混在することになる場合、表示制御部２７ｆは、表示部２２を制御して、図２で説明した場合と同様に、カラー画像のページとモノクロ画像のページとが混在する集約ページがモノクロ印刷されることとなる旨の警告メッセージを表示部２２に表示させる。
【０１４８】
図１３（Ａ）の例では、原稿に含まれる各ページ１ａ〜１ｈをそのページ順に並べた場合、ページ１ｃとページ１ｄとが同一の集約ページに混在するようになるので、表示制御部２７ｆは、図２に示した警告メッセージ１１と同様の警告メッセージを表示部２２に表示させる。
【０１４９】
そして、図２に示したような許可指示受付領域１１ａがユーザによりタッチされ、その後、ユーザから集約ページの印刷指示を受け付けた場合、印刷処理部２５ａは、図１３（Ａ）に示したページ１ａとページ１ｂ、ページ１ｃとページ１ｄ、ページ１ｅとページ１ｆ、ページ１ｇとページ１ｈがそれぞれ集約された集約ページの印刷を行う。
【０１５０】
この場合、印刷処理部２５ａは、ページ１ａとページ１ｂが集約された集約ページ、および、ページ１ｇとページ１ｈが集約された集約ページについてはカラー印刷を行い、ページ１ｃとページ１ｄが集約された集約ページ、および、ページ１ｅとページ１ｆが集約された集約ページについてはモノクロ印刷を行う。
【０１５１】
一方、図２に示したような禁止指示受付領域１１ｂがユーザによりタッチされ、その後、ページの削除によりページの並び順が変更された場合、第２の集約判定部２７ｅは、その変更後のページの並び順で集約された同一の集約ページに、カラー画像のページとモノクロ画像のページとが混在することとなるか否かを判定する。
【０１５２】
そして、カラー画像のページとモノクロ画像のページとが同一の集約ページに混在することとなる場合、表示制御部２７ｆは、表示部２２を制御して、図４で説明した場合と同様に、カラー画像のページとモノクロ画像のページとが混在する集約ページがモノクロ印刷されることとなる旨の警告メッセージを表示部２２に表示させる。
【０１５３】
図１３（Ｂ）の例では、ページ１ｃの削除によりページの並び順を変更する結果、モノクロ画像のページ１ｆとカラー画像のページ１ｇとが同一の集約ページ２ｃに混在するようになるので、表示制御部２７ｆは、図４に示した警告メッセージ１１と同様の警告メッセージを表示部２２に表示させる。
【０１５４】
そして、図４に示したような許可指示受付領域１１ａがユーザによりタッチされ、その後、ユーザから集約ページの印刷指示を受け付けた場合、印刷処理部２５ａは、図１３（Ｂ）に示したページ１ａとページ１ｂ、ページ１ｄとページ１ｅ、ページ１ｆとページ１ｇがそれぞれ集約された集約ページ２ａ〜２ｃの印刷を行う。加えて、印刷処理部２５ａは、ページ１ｈだけを含む集約ページ２ｄの印刷を行う。この場合、印刷処理部２５ａは、集約ページ２ａ、２ｄについてはカラー印刷を行い、集約ページ２ｂ、２ｃについてはモノクロ印刷を行う。
【０１５５】
一方、図４に示したような禁止指示受付領域１１ｂがユーザによりタッチされた場合、印刷処理部２５ａは、ページ１ｃの削除処理の実行をキャンセルする。そして、ユーザから印刷指示を受け付けた場合、印刷処理部２５ａは、ページ１ｃの削除をしない場合の並び順でページが集約された集約ページの印刷を実行する。
【０１５６】
なお、ページ１ｃの削除処理の実行をキャンセルするのではなく、その削除処理を実行することとし、モノクロ印刷されることになるカラー画像のページ１ｇを含む集約ページ２ｃについて、カラー印刷を行うようにしてもよい。この場合、モノクロ画像であるページ１ｆの印刷がカラー印刷になるので、画像形成装置が、ページ１ｆがカラー印刷されることとなる旨の警告メッセージを表示することとしてもよい。
【０１５７】
また、図４に示したような比較指示受付領域１１ｃがユーザによりタッチされた場合、図５で説明した場合と同様に、表示制御部２７ｆは、表示部２２を制御して、ページ１ｃの削除前のページ順での集約ページと、ページ１ｃの削除後のページ順での集約ページの両方のプレビュー画面１０を表示部２２に表示させる。
【０１５８】
そして、図５を用いて説明した場合と同様に、指示受付部２７ｂは、ページ順決定ボタン１７のユーザによるタッチを検出することにより、ページ削除前のページ順で各集約ページを印刷するのか、ページ削除後のページ順で各集約ページを印刷するのかの選択をユーザから受け付ける。そして、印刷処理部２５ａは、選択されたページ順で、集約ページの印刷を行う。
【０１５９】
上述のように、指示受付部２７ｂは、原稿に含まれるページを削除して各ページの並び順を変更するよう指示する変更指示をユーザから受け付けることとしたので、ユーザが集約ページに含まれるページの削除を行う際にも、印刷処理がモノクロ印刷となることをユーザに通知することができ、ユーザによるページの編集作業を効果的に支援することができる。
【０１６０】
また、上記実施形態では、集約ページにカラー画像のページとモノクロ画像のページとが混在する場合に、警告メッセージを表示することとしたが、カラー画像、あるいは、モノクロ画像という属性以外のページの属性が用いられる場合にも同様に本発明は適用され得る。
【０１６１】
例えば、集約ページに異なる画像フォーマットのページが混在し、各ページのフォーマットがいずれかのフォーマットに変換されるような場合に、画像形成装置が警告メッセージを表示することとしてもよい。
【０１６２】
また、ページ毎にカラー印刷、あるいは、モノクロ印刷を行うように出力カラーが設定されている場合であって、集約ページに異なる出力カラーのページが混在し、各ページの出力カラーがいずれかの出力カラーに変換されるような場合に、画像形成装置が警告メッセージを表示することとしてもよい。
【０１６３】
また、集約ページに異なる階調のページが混在し、各ページの階調がいずれかの階調に変換されるような場合に、警告メッセージを表示することとしてもよい。例えば、集約ページに２階調の画像のページと８階調の画像のページが混在し、各ページの階調が２階調に変換されるような場合に、画像形成装置が警告メッセージを表示することとしてもよい。
【符号の説明】
【０１６４】
１ａ〜１ｈ，３…ページ、２ａ〜２ｄ…集約ページ、１０…プレビュー画面、１１…警告メッセージ、１１ａ…許可指示受付領域、１１ｂ…禁止指示受付領域、１１ｃ…比較指示受付領、１２…ページ表示領域、１３ａ〜１３ｄ…移動ボタン、１４ａ〜１４ｈ，１５ａ〜１５ｄ…アイコン、１６…強調枠線、１７…ページ順決定ボタン、２０…画像形成装置、２１…入力部、２２…表示部、２３…ネットワークインターフェース部、２４…電話回線インターフェース部、２５…ページ形成部、２５ａ…印刷処理部、２５ｂ…コピー処理部、２５ｃ…スキャン処理部、２５ｄ…ＦＡＸ処理部、２６…記憶部、２６ａ…原稿データ、２６ｂ…ページ属性情報、２６ｃ…ジョブ設定情報、２７…制御部、２７ａ…ジョブ設定受付部、２７ｂ…指示受付部、２７ｃ…原稿編集処理部、２７ｄ…第１の集約判定部、２７ｅ…第２の集約判定部、２７ｆ…表示制御部２７ｆ。
【要約】
【課題】ユーザが集約ページに含まれるページの挿入や削除などの編集作業を行う際に、ユーザの編集作業を効果的に支援すること。
【解決手段】表示部２２が、原稿に含まれる各ページに対応するアイコンをページ順に並べたプレビュー画面を表示し、第１の集約判定部２７ｄが、ページ順に各ページが並べられた状態で、属性の異なるページが同一の集約ページに混在することになるか否かを判定し、上記プレビュー画面においてユーザによりなされるアイコンの並び順の変更に応じて各ページの並び順を変更するよう指示する変更指示をユーザから受け付けた場合に、第２の集約判定部２７ｅが、並び順の変更により属性の異なるページが同一の集約ページに混在することになるか否かを判定し、属性の異なるページが同一の集約ページに混在することになると判定された場合に、表示制御部２７ｅが、表示部２２を制御して、表示部２２に警告メッセージを表示させる。
【選択図】図６【図１】
0005134712.tif 000002
【図２】
0005134712.tif 000003
【図３】
0005134712.tif 000004
【図４】
0005134712.tif 000005
【図５】
0005134712.tif 000006
【図６】
0005134712.tif 000007
【図７】
0005134712.tif 000008
【図８】
0005134712.tif 000009
【図９】
0005134712.tif 000010
【図１０】
0005134712.tif 000011
【図１１】
0005134712.tif 000012
【図１２】
0005134712.tif 000013
【図１３】
0005134712.tif 000014